Podtech/llm-jp-corpus-v4-ja_patent huggingface dataset:
(57)【要約】      （修正有）【課題】手押車を安定性のあるものとし、重い荷物でも不安なく安全に搬送しうるように改造する。【解決手段】荷台１に対してタイヤ３を２輪回動自在のキャスター軸２に装着することによって、安定性があって重い物でも自在に搬送することが可能となった。【選択図】図２
0003106340.tif 000002
【実用新案登録請求の範囲】
【請求項１】
長方形の荷台（１）の前方左右に回動するキャスター軸（２）によって装着されたタイヤ（３）を設け、後方に足（５）及びハンドル（４）を設けたことを特徴としたキャスター付き二輪車。
【考案の詳細な説明】
【技術分野】
【０００１】  本考案は、農作業や土建作業等において、物を搬送するための二輪車に関する。
【背景技術】
【０００２】  農作業や土建作業等において搬送用の手押車としてはネコ車と称されている一輪車が広く使用されている。
【特許文献１】
【考案の開示】
【考案が解決しようとする課題】
【０００３】  手押車としてのネコ車はタイヤが一輪のため手軽に使用されているがバランスが取りにくく、特に荷が思いときは、慣が必要で危険を伴う場合があった。
【課題を解決するための手段】
【０００４】  このためタイヤを２個並列に設けることが考えられるが、２輪でタイヤを固定した場合は、安定性があって重い荷物の搬送に向いている。しかし、タイヤが固定されているためハンドルが切りにくく操作に不便があった。【０００５】  考案者はこの点について試作研究を重ねた結果本案に到達したものであって、本考案はタイヤを回動可能なキャスター軸とすることによって、手押車は操作する者の自由に曲ることができるようになり、しかも２輪のため安定性があり作業運搬用として広く利用できる。
【考案の効果】
【０００６】  上述のように本考案のキャスター付きの二輪車はタイヤが２輪であること、キャスター付きで自由に回転するため重い荷物であっても安定性があり、農業用或は土建用として、その他の運搬用として手軽に使用できるという卓越した使用上の効果を奏する。
【考案を実施するための最良の形態】
【０００７】  図１、図２に図示されるように、荷台（１）に対してキャスター軸（２）によって装着されたタイヤ（３）を設けることによって運転が容易となる。
【実施例】
【０００８】  添付図面により本考案の実施例を説明すると、図１は側面図、図２は正面図であって、長方形の荷台（１）の前方にタイヤ（３）がキャスター（２）付きの回動自在の車軸によって左右２個装着されている。【０００９】  （５）は荷台（１）の後方にある足を示していて車を止めた際に図１に示されるように地面に着いて安定を図るものである。（４）はハンドルを示し、作業者はこのハンドルを握って手押して搬送する。【００１０】  このように２個のタイヤ（３）が自由に回動するため作業者は車の向を思いのままに操作することができる。荷台（１）上に示すＫは箱体であって搬送物がバラスのような不定形物の場合に載置すると便利である。
【産業上の利用可能性】
【００１１】  本考案のキャスター付き二輪車は操作が容易で安定性があり、しかも重い物の搬送に適しているため作業用として広く利用できる。
【図面の簡単な説明】
【００１２】
【図１】  側面図
【図２】  正面図
【符号の説明】
【００１３】        （１）…荷台
（２）…キャスター軸
（３）…タイヤ
（４）…ハンドル
（５）…足
Ｋ…荷箱（仮想）
【図１】
0003106340.tif 000003
【図２】
0003106340.tif 000004
(57)【要約】【課題】バインダーファイルに書類を綴じる時の補助具。【解決手段】平板にバインダーファイルのリングと同じ間隔で凹凸を設け、その凸部で綴じる書類を押さえながら、リングを綴じ、書類をバインダーファイルに綴じる。【選択図】  図１
0003106335.tif 000002
【実用新案登録請求の範囲】
【請求項１】
バインダーのリングの間隔に一致した凹凸を持った平板からなるバインダーファイルに書類を綴じる時の補助具。
【考案の詳細な説明】
【考案の詳細な説明】
【産業上の利用分野】
【０００１】  この考案は、バインダーファイルに書類を綴じる時の補助具に関するものである。
【背景技術】
【０００２】  従来、バインダーファイルのリングを開放し、書類を通した後、リングを閉じることにより書類を綴じていた。
【考案が解決しようとする課題】
【０００３】  これには次のような欠点があった。バインダーファイルのリングを閉じる時に、書類が多い場合、左右の書類が中央に近づき、中央からリングの外にはみ出てしまうため、リングを綴じることが困難であった。本案は、これらの欠点を除くためになされたものである。
【課題を解決するための手段】
【０００４】  バインダーファイルのリングの間隔に合わせた凹凸により、リングを綴じる時に中央で書類がリングの外にはみ出すのを押さえ込み、リングの中に書類を納め、バインダーファイルを閉じ、書類を綴じられる様にした。
【考案の効果】
【０００５】  これにより書類が多い時にも、バインダーファイルに書類を綴じることができるようになった。
【図面の簡単な説明】
【図１】  本考案の斜視図である。
【図２】  本考案の単独の斜視図である。
【図３】  本考案の平面図である。
【符号の説明】
１  バインダーファイルと書類
２  バインダーファイルのリング
３  バインダーファイルの書類を綴じる時の補助具
【図１】
0003106335.tif 000003
【図２】
0003106335.tif 000004
【図３】
0003106335.tif 000005
(57)【要約】【課題】麻素材の独特な風合いを生かしながらその麻素材からなるケットの通気性を向上させ、麻素材からなる使用感のよいケットを提供する。【解決手段】複数本の経糸ａを緯糸方向に収束するとともに複数本の緯糸ｂを経糸方向に収束し、該交差部分で複数の経糸ａと緯糸ｂとから略塊形状となるように織ってなる糸収束部４を、縦横に定間隔にして設け、前記糸収束部４の周りに、前記収束の糸引き寄せにより形成されて糸太さ以上の大きさとした透孔５を配置した。【選択図】    図２
0003106368.tif 000002
【実用新案登録請求の範囲】
【請求項１】
それぞれ柔軟加工が行われた麻繊維からなる経糸と緯糸で織られたケットであって、複数本の経糸を緯糸方向に収束するとともに複数本の緯糸を経糸方向に収束し、該交差部分で複数の経糸と緯糸とから略塊形状となるように織ってなる糸収束部を、縦横に定間隔にして設け、前記糸収束部の周りに、前記収束の糸引き寄せにより形成されて糸太さ以上の大きさとした透孔が配置されていることを特徴とする麻メッシュケット。
【考案の詳細な説明】
【技術分野】
【０００１】
本考案は麻からなるメッシュケットに関するものである。
【背景技術】
【０００２】
従来から麻はサラリとした風合いを有する素材であることから、夏服などの素材として多く利用されてきている。また、麻は硬くチクチクする感触があることから、人の肌に直接触れるような用途には不向きであったが、麻の布帛として柔軟性を有するようにしたものが提案されている（特許文献１）。
【特許文献１】特開平０９−１０５０７８号公報
【考案の開示】
【考案が解決しようとする課題】
【０００３】
上述した柔軟性を有する麻の布帛にあっては肌に対する感触も柔らかなものであることから、麻の風合いを生かしながら夏季用のケットとして利用できるようにしたいとの要望があった。
しかしながら、上述した麻からなる布帛にあっては柔軟性が付与されたとしても夏季用のケットとしての通気性がなく、ケットや上掛けなどの用途には使用できないという不具合がある。
そこで本考案は上記事情に鑑み、麻素材の独特な風合いを生かしながらその麻素材からなるケットの通気性を向上させることを課題とし、麻素材からなる使用感のよいケットを提供することを目的とするものである。
【課題を解決するための手段】
【０００４】
本考案は上記課題を考慮してなされたもので、それぞれ柔軟加工が行われた麻繊維からなる経糸と緯糸で織られたケットであって、複数本の経糸を緯糸方向に収束するとともに複数本の緯糸を経糸方向に収束し、該交差部分で複数の経糸と緯糸とから略塊形状となるように織ってなる糸収束部を、縦横に定間隔にして設け、前記糸収束部の周りに、前記収束の糸引き寄せにより形成されて糸太さ以上の大きさとした透孔が配置されていることを特徴とする麻メッシュケットを提供して、上記課題を解消するものである。
【考案の効果】
【０００５】
本考案によれば、糸収束部それぞれにおいてその糸収束部の周りに透孔が位置してメッシュ状の形態となり、通気性が頗る向上するようになる。そして、前記糸収束部において略塊形状を呈するようにしているので、全体として柔軟性を有しながらも、糸収束部が直接人の肌と接触した場合でもさらりとした感触より高まるものとなり、メッシュ部分が面として人肌に触れても硬さを感じさせず、使用感のよいケットとなるなど、実用性に優れた効果を奏するものである。
【考案を実施するための最良の形態】
【０００６】
つぎに本考案を図１と図２に示す実施の形態に基づいて詳細に説明する。
図中１は麻メッシュケットで、該麻メッシュケット１は、それぞれ柔軟加工が施された麻繊維からなる経糸と緯糸とを織ってなるケットである。この麻メッシュケット１は大部分の領域をメッシュ部２とし、そのメッシュ部２以外の朗域を織り目の細かい平織部３としており、前記メッシュ部２と平織部３との組み合わせにより文様が形成されている。
前記メッシュ部２は複数の糸収束部４が間隔を置いて縦横に均等にして並んでなるものである。前記糸収束部４は、緯糸方向に並ぶ三本一組とする経糸ａの複数の縦列それぞれと、経糸方向に並ぶ三本一組とする緯糸ｂの複数の横列それぞれとの交差部分にて形成されていて、図２に示すようにケット表面側から一つの糸収束部４を見た状態で、縦列における三本の経糸ａ中の両側の経糸ａ１とａ３とを、横列における三本の緯糸ｂ中の中央の緯糸ｂ２が跨ぐようにして織られて前記両側の経糸ａ１とａ３とを互いに引き寄せるようにしているとともに、図において裏面側と見た状態となるが、横列における三本の緯糸ｂ中の上下の緯糸ｂ１とｂ３とを、縦列における三本の経糸ａ中の中央の経糸ａ２が跨ぐようにして織られて前記上下の緯糸ｂ１とｂ３とを互いに引き寄せるようにしている。  そして、この一つの糸収束部４の上下左右に隣り合わせ定置する四方の糸収束部４それぞれは逆のパターンの形態で織られている。
【０００７】
このように糸収束部４ではケット厚み方向での経糸ａと緯糸ｂとの重なり度合いが高く、糸収束部４それぞれで或る程度の嵩を持った塊となっており、肌に接触したときに麻素材のさらりとした質感をより強調するようにしている。
これに加えてメッシュ部２では、縦横に並ぶ各糸収束部４それぞれで三本の経糸ａと三本の緯糸ｂの収束の度合いを高めていることから、縦列それぞれでの三本の経糸ａの収束度合いと横列それぞれでの三本の緯糸ｂの収束度合いが高められて列ごとに糸引き寄せが行われていて、各糸収束部４の斜め四方、即ち、経糸方向に斜め交差する方向での四方に糸太さ以上の大きさとした透孔５が形成されている。このように糸収束部４の周りに糸太さ以上の大きさとした透孔５が位置していることから、メッシュ部２にあっては、目視にて充分に確認できる程度の大きさの透孔５を数多く配列しているものとなっており、上述した文様を明確に表現するとともに、高い通気性が確保されている。よって、この麻メッシュケット１を上掛けしたり直接肌に掛けた場合でも体温の放散や体から出る汗の気化を阻害せず、快適なケットとなるものである。
【図面の簡単な説明】
【０００８】
【図１】本考案に係る麻メッシュケットの一例を示す説明図である。
【図２】メッシュ部の糸収束部を示す説明図である。
【符号の説明】
【０００９】
１…麻メッシュケット
２…メッシュ部
３…平織部
４…糸収束部
ａ…経糸
ｂ…緯糸
５…透孔
【図１】
0003106368.tif 000003
【図２】
0003106368.tif 000004
(57)【要約】【課題】  吹き抜け空間部分のゆとり感と採光を犠牲にすることなく、休息場所、収納場所、としても使える多目的小部屋を有する建物の提供。【解決手段】  吹き抜け空間部分２の上方に、使用階から可動式の梯子１１を掛け外し可能にして出入自在の小部屋Ｌを設けた多目的小部屋を有する建物１であって、前記小部屋Ｌは床面から天井までの高さＨを１．４ｍ（メートル）以下とし、且つ該小部屋Ｌの床面積を使用階床面積の１／２未満とすると共に、吹き抜け空間部分２のゆとり感と採光とをほど良く確保可能とすることを特徴とする。【選択図】        図１
0003106367.tif 000002
【実用新案登録請求の範囲】
【請求項１】
吹き抜け空間部分の上方に、使用階から可動式の梯子を掛け外し可能にして出入自在の小部屋を設けた多目的小部屋を有する建物であって、前記小部屋は床面から天井までの高さを１．４ｍ（メートル）以下とし、且つ該小部屋の床面積を使用階床面積の１／２未満とすると共に、吹き抜け空間部分のゆとり感と採光とをほど良く確保可能とすることを特徴とする多目的小部屋を有する建物。
【考案の詳細な説明】
【技術分野】
【０００１】
この考案は、吹き抜け空間部分のゆとり感と採光とをほど良く確保可能とする多目的小部屋を有する建物に関する。
【背景技術】
【０００２】
従来、一般住居用建物で、所謂ロフト（ｌｏｆｔ）として屋根裏部屋が収納目的に設けられ、屋根勾配その侭の天井を利用した窮屈な小部屋が、容積率の計算上床面積に算入されないという理由で取り入れられているのが通例である。
【考案の開示】
【考案が解決しようとする課題】
【０００３】
然しながら、従来例では、吹き抜け空間部分の機能的な面を犠牲にしたり、ロフト自体の窮屈感を拭えない場合が多かった。
【０００４】
本考案は、上述の点に着目して成されたもので、吹き抜け空間部分のゆとり感と採光を犠牲にすることなく、休息場所、収納場所、としても使える多目的小部屋を有する建物を提供することを目的とする。
【課題を解決するための手段】
【０００５】
本考案は、下記構成を備えることにより上記課題を解決できるものである。
【０００６】
（１）吹き抜け空間部分の上方に、使用階から可動式の梯子を掛け外し可能にして出入自在の小部屋を設けた多目的小部屋を有する建物であって、前記小部屋は床面から天井までの高さを１．４ｍ（メートル）以下とし、且つ該小部屋の床面積を使用階床面積の１／２未満とすると共に、吹き抜け空間部分のゆとり感と採光とをほど良く確保可能とする多目的小部屋を有する建物。
【考案の効果】
【０００７】
吹き抜け空間部分のゆとり感と採光を犠牲にすることなく、休息場所、収納場所としても使える多目的小部屋を有する建物を提供することが出来る。
【考案を実施するための最良の形態】
【０００８】
図１は、本考案に係る多目的小部屋を有する建物の要部構成を示す説明図、（ａ）は２階平面図、（ｂ）はＡ−Ａ断面図、（ｃ）はＢ−Ｂ断面図、図２は、多目的小部屋を設ける前の通常吹き抜け空間部分を含む１階平面図、図３（ａ）は通常吹き抜け空間部分の断面図、（ｂ）は通常１、２階断面図である。
【実施例】
【０００９】
図２に示す１階間取り図において、玄関ホール８、１階と２階をつなぐ階段１２、キッチン９、及び居室７に囲まれた居間（ＬＤ）に吹き抜け空間部分２を設け、図１（ａ）に示すように、吹き抜け空間部分２の上方に所謂ロフトに類する小部屋Ｌを容積率の計算上床面積に算入されない条件、即ち天井高さＨを１．４ｍ（メートル）以下、床面積を使用階、本実施例では２階から可動式の梯子１１を掛けたり、外したりの、掛け外し可能にして、出入自在の多目的小部屋Ｌを有し、且つ該小部屋Ｌの床面積を使用階床面積（２階床面積）の１／２未満とすると共に、吹き抜け空間部分２のゆとり感と採光とをほど良く確保可能とする多目的小部屋を有する建物１を提供する。
【００１０】
図１（ｂ）、（ｃ）に示すように、１階の天井高さＨ１に対し吹き抜け空間部分２の天井高さＨ２部分はほぼ２倍確保出来、また小部屋Ｌを設けても、該小部屋Ｌ下部の吹き抜け空間部分２の天井高さＨ３は、１階の天井高さＨ１に対しほぼ１．６倍確保でき、吹き抜け空間部分２の上方にロフトに類する小部屋Ｌを上手に配置することで、ゆとり感と採光条件をクリアできる多目的小部屋を有する建物１を提供できる。
【００１１】
また、小部屋Ｌの壁一面は外壁部分１０を共有しているため、採光及び換気用の窓１０ａを備え、更に対向する内壁面に窓部１０ｂを設け、室内中心部へも外光を取り入れ、また風通しをよくすることができるようになっている。これらの条件を備えているために、休息場所としても、また収納場所としても、更に両者を共有する多目的な小部屋としても、容積率等の条件に規制されることなく、空間を有効活用できたものである。
【００１２】
他の符号について、３は廊下、４、５、６、７は居室、９はキッチンである。
【００１３】
因みに、本実施例における、使用階（２階）の床面積に対する小部屋Ｌの床面積の比は、約１／６であった。
【００１４】
天井高さ関係は、Ｈ１が約２．５ｍ、吹き抜け空間部分２の最も高さを確保できたＨ２が約５．２ｍ、小部屋Ｌの真下部分の吹き抜け空間部分２でＨ３を約３．８ｍ確保することが出来た。
【００１５】
以上説明したように、吹き抜け空間部分２の上方に、外光を取り入れる採光及び換気窓を設けると共に、吹き抜け空間部分２のゆとり感と採光をも犠牲にすることなく、且つ容積率の計算上床面積に算入されない多目的小部屋を有する建物を提供することができる。
【図面の簡単な説明】
【００１６】
【図１】本考案に係る多目的小部屋を有する建物の要部構成を示す説明図、（ａ）２階平面図、（ｂ）Ａ−Ａ断面図、（ｃ）Ｂ−Ｂ断面図
【図２】多目的小部屋を設ける前の通常吹き抜け空間部分を含む１階平面図
【図３】（ａ）通常吹き抜け空間部分の断面図、（ｂ）通常１、２階断面図
【符号の説明】
【００１７】
１  建物
２  吹き抜け空間部分
３  廊下
４，５、６、７  居室
８  玄関ホール
９  キッチン
１０  外壁部分
１１  可動式の梯子
１２  階段
Ｌ  多目的小部屋
【図１】
0003106367.tif 000003
【図２】
0003106367.tif 000004
【図３】
0003106367.tif 000005
(57)【要約】      （修正有）【課題】油圧ジャッキの油圧を利用することにより注射筒内の試料をろ過する装置を提供する。【解決手段】油圧ジャッキ１を装置上部に取り付け押し出し板２を取り付ける。油圧ジャッキ１を動作させると、押し出し板２が下がり注射筒３を押し出し、注射筒３内の試料はろ紙４によりろ過され、ビーカー５にろ液（検水）が得られる。従来、注射筒３の押し出しは人力により行っていたが、ろ紙４の目詰まりによりたいへん力のいる重作業であり、時間がたいへんかかっていたが、油圧ジャッキ１を使用することにより作業は軽減され、時間も短縮できる。また、バネ６により油圧ジャッキ１の油圧解除後、すぐに押し出し板２が上昇するため、すぐに次の作業に移ることができ、作業効率を上げることができる。【選択図】図１
0003106362.tif 000002
【実用新案登録請求の範囲】
【請求項１】
油圧ジャッキを装置上部に取り付け、さらに押し出し板を取り付け、油圧ジャッキの油圧により注射筒上部を押し出し、注射筒内の試料をろ過することを特徴とするろ過装置。
【請求項２】
ろ過終了後、油圧ジャッキの油圧解除と同時に押し出し板上部に取り付けたバネにより、押し出し板は自動的に上昇することを特徴とする請求項１記載のろ過装置。
【考案の詳細な説明】
【技術分野】
【０００１】
本考案は、油圧ジャッキの油圧を利用することにより試料をろ過する装置に関する。
【背景技術】
【０００２】
注射筒上部を手で押し出し、注射筒内の試料をろ過していた。ろ紙の目詰まりにより、かなりの力で注射筒上部を押し出さなければならず大変重作業で、この作業を作業者１人で行った場合、１検体約２０分間、６検体ならば約１２０分間もの時間がかかっていた。
【考案の開示】
【考案が解決しようとする課題】
【０００３】
人の力による注射筒の押し出しには限界があり、大変重作業で作業効率が悪いという問題点があった。
【課題を解決するための手段】
【０００４】
本考案は、注射筒の押し出しを人力から油圧ジャッキの油圧に変え、従来重作業であったろ過作業を軽作業にすることができ、時間も短縮できるために作業効率を上げることができる。
また、油圧ジャッキの油圧解除後、バネにより押し出し板が上昇するため、すぐに次の作業に移ることができ、作業の効率化が望める。
【考案の効果】
【０００５】
以上説明したように、油圧ジャッキによりろ過が行えることにより、従来、重作業であった作業を軽作業にすることができ、時間も短縮でき作業効率を上げることができる。また、油圧解除後、すぐに押し出し板が上昇するため、次の作業にすぐに移ることができる。
例えば、作業者１人で１検体約２０分間、６検体ならば約１２０分間かかっていた作業が、この装置を使用することにより、作業者１人で６検体同時に、ろ過作業を行うことができ、時間も約２０分間に短縮できる。
【考案を実施するための最良の形態】
【０００６】
本考案の実施の形態について図面を参照して説明する。
【実施例１】
【０００７】
図１は本考案の実施例の正面図である。
油圧ジャッキ１を装置上部に取り付け、押し出し板２を取り付ける。
油圧ジャッキ１を動作させると押し出し板２が下に下がり注射筒３を押し出し注射筒３内の試料はろ紙４によりろ過される。
ろ過終了後、油圧ジャッキ１の油圧解除と同時にバネ６の働きにより押し出し板２は自動的に上昇する。
【産業上の利用可能性】
【０００８】
従来、人手によって行っていた重作業のろ過が、この装置により軽作業で多検体同時にでき、作業効率を上げることが望める。
【図面の簡単な説明】
【０００９】
【図１】本考案による実施例の正面図。
【符号の説明】
【００１０】
１    油圧ジャッキ
２    押し出し板
３    注射筒
４    ろ紙
５    ビーカー
６    バネ
【図１】
0003106362.tif 000003
(57)【要約】【課題】  一般に使用されている素透視のメガネに対して、日差しやライトの光の眩しさを防ぎたい時に使用中のメガネレンズの前面に装着して、日差しやライトの日差しの眩しさを防ぐ事が課題である。【解決手段】  日差しやライトの光の眩しさを防ぐために有効な色素を有する透明度の高い合成樹脂を用いて、レンズ状に同色で形成した度数を有しない右用左用のサングラスのレンズに、メガネ枠のブリッジを兼ねる形に使用するための強度と開閉力を有した弓状に形成されたバネをバネ固定台座に堅固に接着して、バネの開閉力を使い使用中のメガネレンズの前面に装着する事で課題の解決手段となる。【選択図】  図４
0003106375.tif 000002
【実用新案登録請求の範囲】
【請求項１】
メガネ枠のブリッジを兼ねる形に使用するバネの開閉力を使い、使用中のメガネレンズの前面に装着して、使用することを特徴とするブリッジにバネを用いたサングラス。
【考案の詳細な説明】
【技術分野】
【０００１】  日差しやライトの光の眩しさを防ぐために有効な色素を有する透明度の高い合成樹脂を用いて、一般に使用されているメガネのレンズを覆う形にレンズ状に同色で右用左用をそれぞれ度数を有しないサングラスのレンズとして形成して、メガネ枠のブリッジに当たる位置にブリッジを兼ねる形に使用するための強度と開閉力を有した弓状に形成したバネを使用する、ブリッジにバネを用いたサングラスに関するものである。
【背景技術】
【０００２】  サングラスと言えば、レンズの形も枠も様々で多種有りますが、使用する時には単品で使用するのが一般的である。最近では枠に磁気を有してメガネ枠の前面に装着して使用するものが有る。
【考案の開示】
【考案が解決しようとする課題】
【０００３】  一般に使用されている素透視のメガネに対して、日差しやライトの光の眩しさを防ぎたい時に簡単に使用中のメガネレンズの前面に装着して、日差しやライトの光の眩しさを防ぐ事が課題である。
【課題を解決するための手段】
【０００４】  一般に使用されているサングラスは、単品で使用するのが一般的ですから使用中のメガネに装着して使用する事は出来ない。本考案は、ブリッジを兼ねるバネの開閉力を使いメガネレンズの前面に装着して、日差しやライトの光の眩しさを防ぐ事で課題を解決する。
【考案の効果】
【０００５】  ブリッジを兼ねるバネの開閉力を使い装着脱着が出来るので、老眼鏡や遠近視や乱視のメガネ等を使用中に日差しやライトの光の眩しさを防ぎたい時に、メガネレンズの前面に装着して使用する。軽量で平面状に形成されているので携帯が容易ですから、異なる色の本考案を複数携帯して、時と場所に応じて使い分ける事が出来る。
【考案を実施するための最良の形態】
【０００６】  日差しやライトの光の眩しさを防ぐために有効な色素を有する、透明度の高い合成樹脂を用いて、一般に使用されているメガネのレンズを覆う形に形成したレンズ状の縁に補強のための補強縁を設けて、装着するメガネ枠から脱落しないために設けてある上部支持枠と横ずれを防ぐために設けてある側面支持枠、それとメガネ枠のブリッジの位置に当たる所に設けてあるバネ固定台座を備えて、右用左用をそれぞれ度数を有しないサングラスのレンズとして同色にて一体形成する。【０００７】  レンズ状に形成したサングラスのレンズの右用左用に設けたバネ固定台座に、ブリッジを兼ねる形で使用するための強度と開閉力を有した弓状に形成されたバネを堅固に接着する。バネの開閉力は、メガネレンズの前面に確実に装着出来て、且つ、脱着が容易に出来るように加工を施す。
【図面の簡単な説明】
【０００８】
【図１】    ブリッジにバネを用いたサングラスの表面図。
【図２】    ブリッジにバネを用いたサングラスの裏面図。
【図３】    サングラスの平面図。
【図４】    サングラスの裏面斜視図。
【符号の説明】
【０００９】  １    バネ
２    バネ固定台座
３    右用レンズ
４    左用レンズ
５    上部支持枠
６    側面支持枠
７    補強縁
【図１】
0003106375.tif 000003
【図２】
0003106375.tif 000004
【図３】
0003106375.tif 000005
【図４】
0003106375.tif 000006
(57)【要約】【目的】    ス−パ−の買物袋、塵芥用の袋、薬袋等のビニ−ル袋には口が密接している物があり、不慣れな人、身障者、老人、小児等には、開口が難しかった。この不便を解消すべく、安全、衛生的で素早く、開口することを目的とした。【構成】    上側握り１のみ弾性材を用い、上側握り１の先端３を上方に屈折し、中央部分１′を山形に形成し、支点４に至る上側握り１を構成し、開口ズレを拡大する為先端３を斜切した下側握り２と一体とする。上側握り１、下側握り２の夫々先端３の内側には、滑り止め３′、例えば、細かい突起、或いはゴム等が施してある。【選択図】  図１
0003106376.tif 000002
【実用新案登録請求の範囲】
【請求項１】
弾性材を用い、該先端３を、上方に屈折し、中央部分１′を山形に形成し、支点４に至る上側握り１、と先端３を斜切した下側握り２で、一体となし、上側握り１、下側握り２の、夫々先端３の内側に、滑り止め３′を設けたビニ−ル袋開口用具。
【考案の詳細な説明】
【考案の詳細な説明】
【０００１】  本考案は、ス−パ−の買物袋、塵芥用の袋、薬袋等、のビニ−ル袋類の密接している口を容易に開口する用具である。
【０００２】  従来、ス−パ−での買物袋、塵芥用の袋、薬袋等のビニ−ル袋の口が密接している時、不慣れな人、身障者、老齢者、小児等、の指先では容易に開口でき難くかった。
【０００３】  密接しているビニ−ル袋を開口する為に、指先を舐めたり、湿らせた布で、指先を湿らせながら開口していたが、非常に不衛生であり、袋口が素早く開かず、もどかしさも感じた。
【０００４】  以上の課題を解決すべく本考案を、図面に従い説明する。図１、上側握り１のみ弾性材を用い、該先端３を上方に屈折し、中央部分１′を山形に形成し、支点４に至る上側握り１を構成し、該支点４と、下側握り２を連繋一体化する。上側握り１と、下側握り２の夫々先端３の内側には、滑り止め３′、例えば、細かい突起、或いはゴム等を施してある。
【０００５】  図１、下側握り２を掌に握り、ビニ−ル袋の口方７を挿入口５に挿入し、上側握り１の中央部分１′を親指で加圧するに従い、上側握り１の先端３と、下側握り２の先端３の間に、ビニ−ル袋の口方７が挟まれ、更に加圧して行くと、図２、上側握り１の先端３と、下側握り２の先端３が、圧接しながら、開口ズレを拡大する為に、斜切した下側握り２の先端３に沿い、上側握り１の先端３が伸長し、上側握り１、下側握り２夫々の先端３の滑り止め３′の不滑効果で、挟んでいたビニ−ル袋の口方７の表面６と、裏面６′の間が、ズレ、ビニ−ル袋の表面６が、前方に押される、裏面６′は、下側握り２先端３の滑り止め３′の不滑効果で動かず、したがってビニ−ル袋の表面６だけが前方に押され、ビニ−ル袋の表面６と裏面６′が剥離され、密接していたビニ−ル袋の口が、容易に開口される。
【０００６】  一体成形で製作可能であり、衛正、安全、安価、の面で、誰でも使い易く、家庭、ス−パ−店舗では必需品である。
【図面の簡単な説明】
【図１】  加圧前の側面図である。
【図２】  加圧後の側面図である。
【図３】  正面図である。
【符号の説明】
１    上側握り    １′  中央部分    ２    下側握り    ３    先端
３′  滑り止め    ４    支点        ５    挿入口
６    ビニ−ル袋の表面              ６′  ビニ−ル袋の裏面
７    ビニ−ル袋の口方
【図１】
0003106376.tif 000003
【図２】
0003106376.tif 000004
【図３】
0003106376.tif 000005
(57)【要約】【課題】  高齢者、障害者が運転する小型電動車を一般車両が事前に視認して事故を未然に防ぐ必要がある。【解決手段】  小型電動車２の後部に設けた支柱６の先端に安全灯１を装着し、該安全灯１を搭乗者がシートに着座したときに点灯・点滅し、離座したときに消灯するようにシートスイッチ９により開・閉するようにした。また前記安全灯１を高輝度なランプか、または２０〜３０個ほどの高輝度なＬＥＤを用いるようにした。【選択図】  図１
0003106378.tif 000002
【実用新案登録請求の範囲】
【請求項１】
小型電動車（２）の後部に設けた支柱（６）の先端に安全灯（１）を装着し、該安全灯（１）を搭乗者がシートに着座したときに点灯・点滅し、離座したときに消灯するようにシートスイッチ（９）により開・閉するようにした小型電動車の視認安全灯。
【請求項２】
前記安全灯（１）を高輝度なランプか、または２０〜３０個ほどの高輝度なＬＥＤを用いるようにした請求項１記載の小型電動車の視認安全灯。
【考案の詳細な説明】
【技術分野】
【０００１】
本考案は高齢者、障害者等が使用する小型電動車の視認安全灯に関する。
【背景技術】
【０００２】
従来の小型電動車には走行安全のための視認安全灯などが付いておらず、商店街売出しの幟風のものを後部に差し込んだり、反射板をつけたり、ライトを前部の低い位置に取付けたものを見かける程度であった。また小型電動車の車高が低く、視認が極めてしにくい構造になっている。さらに、搭乗者が高齢者或いは障害者であり、服装は比較的控えめであり、又道路交通法規に精通していないうえ、走行中の一般車両からの視認が困難な場合があって交通事故が起こりがちであった。
【考案の開示】
【考案が解決しようとする課題】
【０００３】
上記のように視認が困難な小型電動車を一般車両が事前に視認して事故を未然に防ぐ必要がある。従来の視認具である幟風の物は風が強い場合は風の影響を受けて危ない。また反射板は対向車両がライトをつけないと機能しない。更に照明灯付の場合は、取り付け位置が低すぎたり、消費電力の関係から主電源バッテリに問題がある。本考案はかかる不具合を解消した視認安全灯を提供することを目的とする。
【０００４】
また小型電動車両等の主電源のスイッチ、ライト等のスイッチは手動スイッチである。これに加えて視認安全灯を追加装備すると、そのスイッチが増えて高齢者、障害者が戸惑い視認安全灯の入れ忘れ、切り忘れにつながる可能性がある。かかるスイッチは本人の意思に関わらず着座したときに自動点灯することが望ましい。
【課題を解決するための手段】
【０００５】
本考案は、請求項１に記載のように、小型電動車２の後部に設けた支柱６の先端に安全灯１を装着し、該安全灯１を搭乗者がシートに着座したときに点灯・点滅し、離座したときに消灯するようにシートスイッチ９により開・閉するようにした。また請求項２に記載のように、前記安全灯１を高輝度なランプか、または２０〜３０個ほどの高輝度なＬＥＤを用いるようにしたことを特徴としている。
【考案の効果】
【０００６】
本考案により高齢者や障害者が、走行時に安全灯を点灯・点滅させることにより小型電動車の視認性を高め、安全走行が出来る。また安全灯をシートスイッチ９により開・閉するようにしたので搭乗者がシートに着座したときに点灯・点滅し、離座したときに消灯するので高齢者、障害者もスイッチの入れ忘れ、切り忘れも起こらない。また切り忘れの場合のバッテリ消耗を防ぐことが出来る。
【考案を実施するための最良の形態】
【０００７】
本考案は、高齢者または身障者用の小型電動車の背面シート後部に支柱を設置し、その先端に取り付けた視認安全灯を点灯・点滅させることにより走行時に周囲の注意を喚起させ、歩行者や一般車両にいち早く視認されることにより安全走行が確保される。
【実施例】
【０００８】
以下、本考案の実施の形態について図面を用いて説明する。図１に示すように本考案の視認安全灯１は、小型電動車２の背面シート３の後部に設けた籠式の荷台４に取付金具５を介して支柱６を取り付け、この支柱６の先端に安全灯１を装着したものである。そしてこの安全灯１は、視認性を増す為、高輝度で形状の大きなランプを使用するか、または２０〜３０個ほどの高輝度な消費電力型のＬＥＤを用いる。また支柱６は、強度、耐性に優れたＳＵＳパイプなどを用い、取付金具５の取付けネジ５ａで荷台４に任意な高さに取り付けることが出来る。その際、安全灯の高さを頭上に来るように調節する。
【０００９】
また座席シート７にソフトラバーに被われたシートスイッチ８を設置して搭乗者が座ると着圧でスイッチ８がＯＮして安全灯１が点灯・点滅するようになっている。
【００１０】
また１２Ｖのバッテリ９はパッケージに収納して後部の荷台４にフック掛けするか、荷台４の中に入れる。また安全灯１にはおわん型の防雨カバー１０を被せ、安全灯１、点滅回路１１が濡れないようにする。
【００１１】
上記の構成としたので、搭乗者が着座すると直ちにシートスイッチ８が閉じて安全灯１が点滅・点灯する。そして走行中はそのまま持続し、停止して電動車から降りるとシートスイッチ８が開となり安全灯１が消灯する。
【図面の簡単な説明】
【００１２】
【図１】本考案の実施の形態に係る小型電動車の全体図である。
【図２】視認安全灯の構成説明図である。
【図３】視認安全灯の回路図である。
【符号の説明】
【００１３】
１  安全灯
２  小型電動車
３  背面シート
４  荷台
５  取付金具
６  支柱
７  座席シート
８  シートスイッチ
９  バッテリ
１０  防雨カバー
１１  点滅回路
【図１】
0003106378.tif 000003
【図２】
0003106378.tif 000004
【図３】
0003106378.tif 000005
(57)【要約】【課題】    歯磨き節約グッズなので、手軽に最後まで使いきれる。【解決手段】  歯磨きのキャップが入れるくらいの穴を空けて、キャップに掛けてぶら下げるようにした物に、金属を差し込んでいるので、チュープと一緒に折り重ねたら、チュープが金属の硬さによって折り重ねられたまま、元に戻らない。【選択図】  図１
0003106377.tif 000002
【実用新案登録請求の範囲】
【請求項１】
歯磨きのキャップが入れるくらいの穴を空けて、キャップに掛けてぶら下がるようにした形状を持っているもので、この物体に金属をキャップの方から、チュープの底の方に向けて差し込んで、この物体をチュープと一緒に折り重ねることによって、チュープが折り重ねられたまま、元に戻らないようにした物体。
【考案の詳細な説明】
【考案の詳細な説明】
【考案が解決しようとする課題】
【０００１】  歯磨きを使用する時、人達は歯磨きのチュープの真ん中を握って中身を出すのが普通ですが、こうする事によって中身はチュープの中から両端に分けてしまって、キャップの方の分を使い切ったら、又、反対側の中身をキャップの方に向って推さなければならない欠点があるので、最後まで使い切るのを諦めてしまう問題点がある。
【課題を解決するための手段】
【０００２】  キャップの入れるくらいの穴を空けて、キャップに掛けてぶら下がるようにした形状を持っているもので、この物体に金属をキャップの方から、チュープの底の方に向けて差し込んで、この物体をチュープと一緒に底から折り重ねると、金属の硬さによって、チュープは折り重ねられたまま元に戻らないから、手軽に最後まで使いきるようにする
【考案の効果】
【０００３】  歯磨きを使用した分、チュープを底から折り重ねる事になっているので、チュープの真ん中を握っても、両端に分かれてしまうことが無くなって、手軽に最後まで使い切る事ができる。
【図面の簡単な説明】
【図１】考案した物の平面図である。  １  金属  ２  穴
【図１】
0003106377.tif 000003
(57)【要約】      （修正有）【課題】本（書籍）の頁の紙を頁押え具で安定させる。【解決手段】本（書籍）の両方の頁、又は一方の頁の上側隅の部分を２個又は１個の頁押え具で重圧を加えて、本の頁が浮き上がらないようにして読書をしやすくした。頁押さえ具はクリップ付の廃物のボールペン１の芯の代りに金属棒２を挿入したものである。【選択図】図１
0003106341.tif 000002
【実用新案登録請求の範囲】
【請求項１】
クリップ（挾圧式止め金具）付きの本の頁押え具
【考案の詳細な説明】
【考案の開示】
【考案が解決しようとする課題】
【０００１】従来、本を机上に置いて読書をする際、本の頁を開いた時に頁の紙が元の位置に戻ろうとするために、不便を感じると言う問題点を有していた。
【課題を解決するための手段】
【０００２】そこで、クリップ付の廃物のボールペンの芯の変わりに金属棒を挿入して、クリップで頁の右上隅、又は左上隅を挾んで押えて頁の紙を安定させた。この場合、ポールペンの中空部分（芯が収まっている部分）のより大きいものを用いた。
【考案の効果】
【０００３】ポールペンの芯の変わりに、鉄の丸棒を用いたために頁への加重が大きくなって頁の紙が安定する。
【図面の簡単な説明】
【０００４】
【図１】  本の頁押え具
【図２】  Ａ−Ａ断面図
【図３】  使用中の平面図
【符号の説明】
【０００５】１    ボールペン
２    金属棒
３    クリップ
４    本案の頁押え具
４’  本案の頁押え具
５    本の頁
【図１】
0003106341.tif 000003
【図２】
0003106341.tif 000004
【図３】
0003106341.tif 000005
【手続補正書】
【提出日】平成16年5月11日(2004.5.11)
【手続補正１】
【補正対象書類名】図面
【補正対象項目名】図１
【補正方法】変更
【補正の内容】
【図１】
0003106341.tif 000006
【手続補正書】
【提出日】平成16年5月26日(2004.5.26)
【手続補正１】
【補正対象書類名】図面
【補正対象項目名】図１
【補正方法】変更
【補正の内容】
【図１】
0003106341.tif 000007
(57)【要約】【課題】    本考案は、ベッドと車イス間の移動の際、本人と介護する人の負担を軽くする。【解決手段】    ベッドではシーツとして使い、車イスではシートとして使える大きさで一つにして、安全のためベルトをつけ、介護しやすいように取っ手を付けた。【選択図】  図１
0003106350.tif 000002
【実用新案登録請求の範囲】
【請求項１】
ベッドから車イス、車イスからベッドへの移動を、本人と介護する人の負担を軽くするために、シーツとシートをひとつにして、安全のためベルトと介護しやすいように取っ手をつけた。
【考案の詳細な説明】
【技術分野】
【０００１】本考案は移動を楽にするためのシーツシートに関する。
【背景技術】
【０００２】ベッドはシーツ、車イスはシートと、分けて使っていた。ベッドから車イスへ、車イスからベッドへの移動は、介護する人が抱えたり支えたりしていた。
【考案の開示】
【考案が解決しようとする課題】
【０００３】介護する人が抱いたり支えたりして、ベッドと車イス間の移動をすると、パジャマや服が乱れたり背中がでてしまう。
【課題を解決するための手段】
【０００４】ベッドと車イス間の移動を、本人と介護する人の負担を軽くするために、シーツとシートをひとつにして、安全のためベルトと介護しやすいように取っ手を付けた。
【考案の効果】
【０００５】シーツとシーツをひとつにするため、安全ベルトを胴、大腿部、股の部分につけ移動を楽にするため、裏側から背中、膝部分にベルト続きの取っ手を付けた。
この取っ手を持つことにより、シーツシート上の人は体がイスに座った状態に近くなり、移動が楽になる。
【考案を実施するための最良の形態】
【０００６】背中、ひざに当たる部分の裏側にベルト地を固定し、その先は取っ手にした。
移動の時はベルトで胴、大腿部、股の部分を固定し、安全を図る。
シーツとしても使うため  幅は８５〜９０センチ、長さは１７０センチ、キルト地を使用し、柔らかさと寝心地、すわり心地を良くした。
綿かポリエステルの混紡を使い、洗濯できるようにする。
【実施例】
【０００７】人工透析を受ける人は、自分のシーツを持参し使用しなければならず、シーツシートなら移動したとき、シーツになるので便利である。
【産業上の利用可能性】
【０００８】病気や事故のけがなどにより、車イスの使用が増加している。
シーツシートの大きさは、車イスにも使える大きさにした。
ふちはロックミシンを掛け、折ってミシンをかける。
表側にバックルを付けたベルトを、胴と大腿部に縫い付ける。
股部分のバックルを付けたベルトは、大腿部ベルトの中央部に通す。
裏側には背中と膝部分に、ベルト続きの取っ手を縫い付ける。
使う際には次の手順で行う▲１▼胴のベルトを締める▲２▼大腿部のベルトを締める▲３▼股のベルトを胴のベルトに掛けて、股のベルトを締める▲４▼取っ手を持って移動する▲５▼ベッドへ移動したときには、ベルトははずす。
【図面の簡単な説明】
【０００９】
【図１】本考案シーツシートの平面図  Ａは表側  Ｂは裏側
【符号の説明】
【００１０】１  シーツシート      ２  胴ベルト      ３  大腿部ベルト
４  股ベルト          ５  バックル      ６  取っ手
７  シーツシート裏側
【図１】
0003106350.tif 000003
【手続補正書】
【提出日】平成16年8月12日(2004.8.12)
【手続補正１】
【補正対象書類名】実用新案登録請求の範囲
【補正対象項目名】全文
【補正方法】変更
【補正の内容】
【実用新案登録請求の範囲】
【請求項１】
ベッドから車イス、車イスからベッドへの移動時の安全性と、本人や介護する人の負担を軽くするため、表側の胴、大腿部、股部分にベルトを付け、裏側の背中、膝部分に取っ手を付けて、ベッドのシーツを車イスのシートとしても使えるように、ひとつのものにしたシーツシート。
(57)【要約】【課題】日本製造業の発展のため、日本電気メーカーのデジタル式電気製品と日本の伝統工芸文化の融合。さらに、日本の雇用大幅増。【解決手段】日本電気メーカーのデジタル式電気製品の一例  （ハイビジョン液晶テレビ）本体１０に漆層１１と模様１２の日本伝統文化の漆工芸の融合を促進する。【選択図】図１
0003106347.tif 000002
【実用新案登録請求の範囲】
【請求項１】
日本製のデジタル式電気製品の外装又はキャビネット、スタンド及び液晶ディスプレイのフレームにおいて、デジタル式電気製品の外面を天然漆塗り又は漆（様）の被膜を形成したことを特徴とするデジタル式電気製品。
【請求項２】
請求項１に記載したデジタル式電気製品であって、なお、外面に漆の蒔絵で模様を描いたことを特徴とするデジタル式電気製品。
【請求項３】
漆塗りである請求項１又は請求項２記載のデジタル式電気製品であって外面に沈金で模様を彫ることを特徴とするデジタル式電気製品。
【考案の詳細な説明】
【技術分野】
【０００１】本発明は、装飾性に優れたデジタル式電気製品に関する。
【背景技術】
【０００２】従来からのデジタル式電気製品は、表面に彩色した製品は知られている。しかし、従来の製品はいずれも、ウレタン製のラッカー等をスプレー塗布した彩色で、変化に乏しく、技術進歩の発達が主で、日本文化の漆芸は取り入れていなかった。【０００３】この改善は、デジタル式電気製品に、変化に富んだ、日本文化の豊かな表情を漆塗りで施した製品を提供することで、もの造り日本の発展を課題とする。
【考案の開示】
【課題を解決しようとする課題】
【０００４】解決しようとする問題は、技術大国日本のデジタル式電気製品の外面に天然漆塗り又は漆（様）の被膜を施し、日本の伝統文化を融合させあることで、日本しか出来ない技術の進歩及び産業の発展を目的とする。
【課題を解決するための手段】
【０００５】本発明は、請求項２記載のとおりの手段をとる。上記第２の発明は、上記第１の発明の作用とともに、デジタル式電気製品の外面に漆の蒔絵で模様（絵、風景画、文字等を含む。）を描いている。
さらに、第３の発明は、請求項３記載のとおりの手段をとる。上記第３の発明は前記デジタル式電気製品の外面に沈金で模様（絵、風景画、文字等を含む。）を彫る。
【考案の効果】
【０００６】本発明に係るデジタル式電気製品によれば、製品の外面を漆層で形成している。これにより、耐久性が著しく向上する。このため、デジタル式電気製品の価値が著しく向上する。さらに、日本の伝統文化である漆工芸の発展に寄与する。
【考案を実施するための最良の形態】
【０００７】以下、本発明における実施の形態を図面に基づいて説明する。図１は、本発明の実施の形態に係わるデジタル式電気製品の一例のハイビジョン液晶テレビの外観を示している。
【実施例１】
【０００８】本発明の実施例１を、図１の実施形態において、デジタル式電気製品１０は一例であり、他にポータブルハードディスクプレーヤー、ＤＶＤレコーダー、ＣＤプレーヤー、ビデオカメラ、デジタルスチルカメラ、携帯電話、薄型デジタル液晶テレビ、ハイビジョンプラズマディスプレイ、電子辞書、電子手帳、電子書籍、ポータブルＵＳＢメモリープレーヤー、ＰＤＡの全フレームに適応される。図１の漆層１１が、ろ色等の漆によりデジタル式電気製品の本体１０  の上部１０ａの外面に四方に塗布してある。また、製品種類によって、本体１０の下部１０ｂ、左側面１０ｃ、右側面１０ｄ、前面１０ｅ、後面１０ｆに塗布してある。
さらに、模様１２は、外面の装飾となる。漆に含まれる顔料により、漆の入れは種々の色となる。また、模様１２の表面に凹凸を設けてもよい。さらに、模様１２に金紛、朱粉等を沈着させてもよい。
なお、図１の実施形態において、デジタル式電気製品１０の平面は正方形であるが、これに限定されず、円形、五角形、六角形等の種々の形にすることができる。また、デジタル式電気製品１の心材は、木、金、銀、銅、プラチナ、プラスチック、アルミニウム、アウミニウム合金、マグネシウム、マグネシウム合金等でもよい。
【産業上の利用の可能性】
【０００９】本発明の活用例としては、もの作り日本の海外生産への歯止め及び、雇用促進につながり、情報通信事業と半導体事業の内需拡大に活用できる。
【図面の簡単な説明】
【００１０】
【図１】実施例１のハイビジョン液晶テレビの図
【符号の説明】
【００１１】１０      ：ハイビジョン液晶テレビ
１０ａ    ：１０の上部
１０ｂ    ：１０の下部
１０ｃ    ：１０の左側面
１０ｄ    ：１０右側面
１０ｅ    ：１０の前面
１０ｆ    ：１０の後部
１１      ：漆加工
１２      ：蒔絵、沈金で模様（絵、風景画、文字等を含む。）
【図１】
0003106347.tif 000003
(57)【要約】    【課題】  今まで目地材のジョイントを、針金とかそういう類の物で連結してコンクリート打設時バイブレーターなどの振動で、ずれてしまっていた目地材を、差し込むだけでずれないようにし、又施工も短縮出来るようにする。    【解決手段】  薄い鉄板をコの字に折り内側4か所にかえしを付け差し込んだら抜けない様にし、又目地材同士の合わせ目にはかえしを2箇所９０度に起こし目地材同士がずれないようにする。これを２つ背中合わせに接合して目地材のジョイント部分に差し込む。    【選択図】  図1     
0003106346.tif 000002
【実用新案登録請求の範囲】
【請求項１】
コの字型の長方形の鉄板に、かえしを付けて背中合わせに接合して目地材のずれを防止するジョイント。
【考案の詳細な説明】
【技術分野】
【０００１】
本考案は、コンクリート構造物用伸縮目地材の上下左右のずれを最小限にする金具のジョイントである。
【背景技術】
【０００２】
コンクリート構造物用伸縮目地材は、コンクリート打設時に使用する
バイブレーターの振動でずれたり、目地材同士をただ重ねて繋いでも浮き上がってずれてしまったりしていた。
【特許文献１】特開07-305461
【考案の開示】
【考案が解決しようとする課題】
【０００３】
解決しようとする問題点は、目地材同士を繋いでコンクリート打設時や、
コンクリート製品の間に挟んで施工する時のずれを最小限に押さえようとする物である。                                      
【課題を解決するための手段】
【０００４】
鉄板で目地材の両方の縁を銜える金具を作り、その金具にかえしを付け目地材に食い込ませ、ずれを最小限にする様にする。
【考案の効果】
【０００５】
本考案の目地材のずれ止めジョイントは、いままで手で押さえたり、鉄筋などに縛り付けたりしていても、ずれてしまう目地材
をこのずれ止めジョイントを使用することによって上下左右が固定されコンクリート内部も、又外部も綺麗に仕上がる。
【考案を実施するための最良の形態】
【０００６】
目地材の両方の縁を銜える金具を作り金具の内側8か所にかえしを付け、目地材同士を挿し込んだら抜けない様にし、この金具
の背中合わせになっている部分には、内側4か所に９０度のかえしを付け目地材がずれない様にする。尚コンクリート製品の間
に挟む場合金具の厚みが出てしまうので、金具はなるべく薄い方がよい又金具は鉄製の物だと、錆が出てしまうのでステンレス製の
物が望ましい。
【実施例１】
【０００７】
図1は本考案ずれ止めジョイントの斜め横から見た図である。1の部分をV字にカットし内側に折り目地材を差し込んだ時に抜けなく
するかえしである。2は９０度に折り曲げ目地材を差し込んだ後目地材同士がずれないようにする為のものである。      
図2は、縦からみた図である。この様にすれば差し込んだ目地材は、上下左右に動きづらくなる。
【産業上の利用可能性】
【０００８】
鉄板を折り曲げて、かえしを付けたものを接合するだけの簡単なものなので安いコストで出来、施工も簡単である。
【図面の簡単な説明】
【０００９】
【図１】ずれ止めジョイントを斜め横から見た図である。
【図２】ずれ止めジョイントを縦から見た図である。
【符号の説明】
【００１０】
1                           
かえし
2                           
かえし
【図１】
0003106346.tif 000003
【図２】
0003106346.tif 000004
【手続補正書】
【提出日】平成16年5月31日(2004.5.31)
【手続補正１】
【補正対象書類名】図面
【補正対象項目名】全図
【補正方法】変更
【補正の内容】
【図１】
0003106346.tif 000005
【図２】
0003106346.tif 000006
【手続補正書】
【提出日】平成16年8月16日(2004.8.16)
【手続補正１】
【補正対象書類名】実用新案登録請求の範囲
【補正対象項目名】全文
【補正方法】変更
【補正の内容】
【実用新案登録請求の範囲】
【請求項１】
２つの目地材を銜える金具の内側にかえしを付けて、ずれを防止するジョイント。
(57)【要約】［課題］  従来のガス銃は、気温の低い場所ではガスが気化しにくいため従来の性能を発揮できなかった。［解決手段］  ガスを温めるための電熱線をタンクの周りに組み込み、ガスを気化させやすくした。［選択図］  図１【実用新案登録請求の範囲】
【請求項１】
電熱線でガスを温めることにより、気温の低い場所でもガスを気化させ安定した作動をするガス銃
【考案の詳細な説明】
【考案の詳細な説明】
【０００１】［考案の属する技術分野］
本考案は、ガス圧を利用しプラスチックＢＢ弾を発射するガス銃に関するものである。
【０００２】［従来の技術］
ガス銃専用のガスを利用しプラスチックＢＢ弾を発射させる玩具であり、ただ弾を飛ばすだけの比較的安価な固定スライドモデル、実銃同様の作動を楽しめるブローバックモデル、その他リボルバーやライフルといった様々な種類のものがある。
【０００３】［考案が解決しようとする課題］
しかし、気温の低い場所ではガスが気化しにくく、十分な圧力を銃に与える事ができないため本来の性能を発揮することができない。特にブローバックモデルのものはスライドを動かすのにもガス圧を利用するので著しく性能がおちてしまう。
【０００４】［課題を解決するための手段］
本考案は、気温の低い場所では電熱線を利用し、タンクを温めることによりタンクの中のガスを温め気化させ、本来の性能を発揮させようとするものである。
【０００５】［実用例］
固定スライドのように銃本体の内部にタンクがあるものでは、電熱線も本体内部のタンクの周りに組み込んでしまえるが、ブローバックモデルではタンクがマガジンに組み込まれているため、図１に示すようにマガジン内部に電熱線３を組み込み、接点４がマガジンの外側に出ている。
【０００６】  図２に示すように、電池ボックス５はレーザーサイト等ガンアクセサリーを模したものにし、電池を銃の外部に取り付ける。これにより、外観を崩さないだけでなく、使用しない時は電池を容易に外すことが可能である。
【０００７】  ブローバックモデルでは、電池ボックスから出ている導線６をマガジンではなく銃本体につなげ、マガジンをセットした際に導線６と接点４が触れるようになっている。これにより、弾切れの際等のマガジン交換がスムーズに行え、１つの電池ボックスで複数のマガジンが使用可能である。
【０００８】［考案の効果］
本考案の電熱線内蔵ガス銃は、電熱線によりガスを温めるため、冬場の屋外等気温の低い場所での使用が可能であり、スポーツとしての射撃のはばを広げることができる。
【図面の簡単な説明】［図１］  ブローバックモデルのマガジン正面図
［図２］  電池ボックスを取り付けた銃本体の正面図
【図１】
0003106345.tif 000002
【図２】
0003106345.tif 000003
【手続補正書】
【提出日】平成16年8月13日(2004.8.13)
【手続補正１】
【補正対象書類名】実用新案登録請求の範囲
【補正対象項目名】全文
【補正方法】変更
【補正の内容】
〔書類名〕    実用新案登録請求の範囲
〔請求項１〕  銃本体もしくはマガジン内部のガスタンク周辺に電熱線を組み込み、電熱線を発熱させるためのバッテリーを銃本体に取り付けたガス銃